(57)【特許請求の範囲】
【請求項１】
収納庫、保管庫、キャビネット等の箱状本体に後板等のパネルを取り付ける方法において、箱状本体の天板、左右側板、底板の内側四周囲にΩ形状の折り曲げ部材を固設し、前記折り曲げ部材に取付具用取付孔を穿設し、後板等のパネルの裏側補強折り曲げ部には、前記取付具用取付孔に対向するように、取付具用の嵌合孔を穿設し、前記取付具用取付孔に取り付けた固定ツメと、後板等のパネルの裏側補強折り曲げ部に穿設した取付具用の嵌合孔に嵌合できるような嵌合凸部と、後板等のパネルの裏側補強折り曲げ部端部と係止状態にできる係止片とを有する取付具を前記箱状本体の折り曲げ部材に穿設してある取付具用取付孔に取り付け、取付具の嵌合凸部に嵌合するように後板等のパネルを箱状本体に対して押圧挿入して箱体にパネルを取り付けることを特徴とする箱体にパネルを取り付ける方法。
【請求項２】
略凹字形状の取付具本体には、後板等のパネルの嵌合孔に嵌合する嵌合凸部と、後板等のパネルの補強折り曲げ部と係合係止できる係止片と、箱状本体の内側四周囲の折り曲げ取付部材に穿設した取付具用取付孔に係合する固定ツメを有する係合凸部とを有する箱体にパネルを取り付ける取付け具。
【発明の詳細な説明】
【０００１】
【発明の属する技術分野】
本発明は、収納庫、保管庫、キャビネット等の箱状本体に後板等のパネルをネジ止め箇所を必要としないで取り付けられる取り付け方法及びその取付具に関するものである。
【０００２】
【従来の技術】
従来の技術としては、ビス、ボルト等による固定、あるいは接着による固定が一般的である。
【０００３】
【発明が解決しようとする課題】
しかしながら、前記従来技術には、ビス、ボルト等により固設したり、接着で固設するものであるが、組立て作業が大変であり、さらに、対角方向の力に対するねじれを防止する工夫はされていないという問題があった。
【０００４】
本発明は、このような事情に鑑み、前記従来技術の欠点を解消し、簡単な構成により解決したものである。それは、取付具で箱体本体にパネルを取り付け組み立てる場合、ビス、ボルト等を使用しないですみ、しかも、取付具の取付け個所に種々選択できるが、１つの実施例として四隅に対して直角に８ヶ所で固定するので、対角方向、側方向から押圧力が掛ってもねじれ、よじれを生じ難い組立てが可能になった。また、スパナ、ドライバー等の工具を使用しないで簡単に誰にでも組立てができる。箱体にパネルを取り付ける方法と取付具を提供することを目的とするものである。
【０００５】
【課題を解決するための手段】
本発明は、前記課題の解決を図ったもので、次のような技術手段を採用した。請求項１記載の発明においては、収納庫、保管庫、キャビネット等の箱状本体に後板等のパネルを取り付ける方法において、箱状本体の天板、左右側板、底板の内側四周囲にΩ形状の折り曲げ部材を固設し、前記折り曲げ部材に取付具用取付孔を穿設し、後板等のパネルの裏側補強折り曲げ部には、前記取付具用取付孔に対向するように、取付具用の嵌合孔を穿設し、前記取付具用取付孔に取り付けた固定ツメと、後板等のパネルの裏側補強折り曲げ部に穿設した取付具用の嵌合孔に嵌合できるような嵌合凸部と、後板等のパネルの裏側補強折り曲げ部端部と係止状態にできる係止片とを有する取付具を前記箱状本体の折り曲げ部材に穿設してある取付具用取付孔に取り付け、取付具の嵌合凸部に嵌合するように後板等のパネルを箱状本体に対して押圧挿入して箱体にパネルを取り付けるという技術手段を採用した。
【０００６】
請求項２記載の発明においては、略凹字形状の取付具本体に後板等のパネルの嵌合孔に嵌合する嵌合凸部と、後板等のパネルの補強折り曲げ部と係合係止できる係止片と、箱状本体の内側四周囲の折り曲げ部材に穿設した取付具用取付孔に係合する固定ツメを有する係合凸部とを有する箱体にパネルを取り付けるという技術手段を採用した。
【０００７】
【発明の実施の形態】
図１に示すものは、本発明の一実施形態で箱状本体と後板であるパネルとを、取付具で固定できるようにした箱体にパネルを取り付ける取付け方法、及びパネルに形成した取付具の嵌合孔に嵌合する嵌合凸部と、パネルの補強折り曲げ部に引っかかって係止できるように形成した係止部と、箱状本体に形成した取付具用取付孔に取付具を挿入することで、固定ツメが拡張して係止できるように形成した取付具である。また、取付具の個数は、四隅に形成した直角に８ヶ所設けたもの等、取り付け箇所は２箇所以上であれば種々設計できるものである。
【０００８】
【実施例】
以下、本発明の一実施例を添付図面で詳細に説明する。
図１に示したものは本発明の具体的な一実施例における保管庫等の箱体本体１と、パネルである後板２との関係を示す分解斜視図、図２はこれを取付具３で取り付けた組立状態を示す斜視図、図３は箱体本体１の正面図、図４はパネルである後板２の一部を拡大して裏面側から見たところを示す斜視図、図５はパネルである後板２の箱体本体１と取り付ける補強折り曲げ部４と取付具３との関係を示す平断面図、図６は取付具３の斜視図、図７は図２におけるＸ矢視断面図、図８は図７におけるＹ矢視図、図９は他の実施例で取付具と後板との関係を示す側面図である。
【０００９】
先ず、各部材について説明すると、箱体本体１について説明すると、箱体本体１の後板２と嵌め込ませる側の内側４周囲に後板２を嵌め込んだ際、面一になるようにストッパを兼ねた略Ω字状の折り曲げ部材８が図１、図７に示すように固設されている。そして、この折り曲げ部材８に前記後板２の嵌合孔７に対向する位置、すなわち箱体本体１の四隅の角部を挟むように各２ヶ所、計８ヶ所の取付具用取付孔５が穿設されている。前記、箱体本体１の取付具用取付孔５に取付具３を取り付け、この状態で後板２の嵌合孔７が取付具３に形成されている嵌合凸部６と合致するように押し込むことで、取付具３に形成された係止片９で後板２の補強折り曲げ部４に係合係止され組立てがワンタッチで行うことが可能となる。
【００１０】
次に、パネルである後板２は、図１、図２、図４、図５、図７、図８に示すように、四周を図５、図７に示すように略コ字形に折り曲げ箱体本体１内に嵌め込むことにより一体化するものであるが、箱体本体１に設けた取付具用取付孔５と対向するように取付具３の嵌合凸部６と嵌合する嵌合孔７が四隅に角部を挟むように各２ヶ所、計８ヶ所穿設されている。
【００１１】
次に、取付具３の形状について図５〜図８に基いて説明する。
図６に示すような形状をしており、合成樹脂製で、略Ｕ字形状で立ち上げ片の一方が断面形状三角形の係止段差を有した係止片９で、後板２が外れないようにしたものである。また、後板２を押し込む際、円滑に押し込めるように傾斜面１０を形成している。さらに、略Ｕ字形状の底部に後板２の嵌合孔７に嵌合する嵌合凸部６を設け、後板２の嵌合孔７に嵌合凸部６を嵌合することで後板２のズレを防止するものである。また、反対側には、箱体本体１の折り曲げ部材８に穿設した取付具用取付孔５に挿入でき、しかも、挿入が完了すると固定ツメ１１で取付具３が箱体本体１の折り曲げ部材８から外れないように固定される係止凸部１２を有するものである。
【００１２】
以上説明したように、合成樹脂製の取付具３の係止片９、嵌合凸部６、固定ツメ１１等の箱体本体１の取付具用取付孔５、後板２の補強折り曲げ部４に穿設した嵌合孔７の押し込みによる係止作用によりワンタッチ取り付けが可能であると同時に工具、ネジ等を必要とせずに簡単に箱体本体１にパネル等の後板２を組み立てることができ、しかも、四隅の角部を挟むようにして２ヶ所、計８ヶ所に取付具３を配設することで、ねじれ、よじれ作用が発生しないようにし、堅固に保持して変形することがないものである。
【００１３】
尚、折り曲げ部材８は、前記説明したように別体で設けず、箱体本体１を一体的に折り曲げ形成することも可能である。すなわち、取付具３を取り付けられる形状であれば良いので、種々設計できる。
【００１４】
次に、図９に基づいて前記実施例で説明した取付具３の変形例を説明する。
取付具３の嵌合凸部６を取り除いて、後板２の補強折り曲げ部４の折り曲げ先端部の一部を取付具３の大きさだけ切り欠いて、後板２のズレを防止できるものである。その他は全て前記実施例と同一のため、説明は省略する。
【００１５】
【発明の効果】
本発明は、以上の構成を採用した結果、次のような効果を得ることができる。
（１）箱体本体にパネルを取り付ける際、ボルト、ビスが必要なく、接着を行わないで、取付具を採用することで誰でも簡単に工具なしで組み立てることができる。
（２）ねじれ、よじれ作用に際して、構造的に箱体全体の変形が起こらないものである。
【図面の簡単な説明】
【図１】本発明の箱体におけるパネルの取付け状態を示す分解斜視図である。
【図２】本発明の箱体組み立て斜視図である。
【図３】本発明の箱体の本体を示す正面図である。
【図４】本発明のパネルを示す一部拡大斜視図である。
【図５】本発明のパネルと取付具の関係位置を示す平面図である。
【図６】本発明の取付具の斜視図である。
【図７】図２におけるＸ矢視断面図である。
【図８】図７におけるＹ矢視図である。
【図９】本発明における他の実施例で取付具と後板との関係を示す側面図である。
【符号の説明】
１‥‥箱体本体                        ２‥‥後板
３‥‥取付具                          ４‥‥補強折り曲げ部
５‥‥取付具用取付孔                  ６‥‥嵌合凸部
７‥‥嵌合孔                          ８‥‥折り曲げ部材
９‥‥係止片                        １０‥‥傾斜面
１１‥‥固定ツメ                      １２‥‥係止凸部
１３‥‥切り欠き
【図１】
0004493244.tif 000002
【図２】
0004493244.tif 000003
【図３】
0004493244.tif 000004
【図４】
0004493244.tif 000005
【図５】
0004493244.tif 000006
【図６】
0004493244.tif 000007
【図７】
0004493244.tif 000008
【図８】
0004493244.tif 000009
【図９】
0004493244.tif 000010